(57)【要約】  酸化型グルタチオンを葉へ施用して植物の生長を促進する技術において、植物生長作用を更に向上させることを解決課題とする。  本発明は、酸化型グルタチオンと肥料成分とを含有する、植物の葉に施用するための肥料組成物又は肥料キットに関する。本発明はまた、酸化型グルタチオンと肥料成分とを植物の葉に施用する工程を含むことを特徴とする、植物を栽培する方法に関する。【特許請求の範囲】
【請求項１】
酸化型グルタチオンと肥料成分とを含有することを特徴とする、植物の葉に施用するための肥料組成物。
【請求項２】
肥料成分が窒素、リン及びカリウムを含有する、請求項１に記載の肥料組成物。
【請求項３】
２５℃にて前記肥料組成物３ｇを１００ｍＬの蒸留水に分散させたときのｐＨ値が２．０以上６．５以下である、請求項１又は２に記載の肥料組成物。
【請求項４】
酸化型グルタチオンと肥料成分とを植物の葉に施用する工程を含むことを特徴とする、植物を栽培する方法。
【請求項５】
肥料成分として窒素、リン及びカリウムを施用する、請求項４に記載の方法。
【請求項６】
酸化型グルタチオンと肥料成分とを、酸化型グルタチオンと肥料成分とを含有する肥料組成物であって、２５℃にて前記肥料組成物３ｇを１００ｍＬの蒸留水に分散させたときのｐＨ値が２．０以上６．５以下である肥料組成物の形態又は前記肥料組成物を希釈した形態で植物の葉に施用する、請求項４又は５に記載の方法。
【請求項７】
酸化型グルタチオンと肥料成分とを互いに分離した形態で備える、植物の葉に施用するための肥料キット。
【請求項８】
肥料成分が窒素、リン及びカリウムを含有する、請求項７に記載の肥料キット。
【発明の詳細な説明】
【技術分野】
【０００１】
本発明は、植物の葉に施用するための肥料組成物、及びそれを用いた植物の栽培方法に関する。
【背景技術】
【０００２】
グルタチオンは、Ｌ−システイン、Ｌ−グルタミン酸、グリシンの３つのアミノ酸から成るペプチドで、人体だけでなく、他の動物や植物、微生物など多くの生体内に存在し、活性酸素の消去作用、解毒作用、アミノ酸代謝など、生体にとって重要な化合物である。【０００３】
グルタチオンは生体内で、Ｌ−システイン残基のチオール基が還元されたＳＨの形態である還元型グルタチオン（Ｎ−（Ｎ−γ−Ｌ−グルタミル−Ｌ−システイニル）グリシン、以下「ＧＳＨ」と称することがある）と、２分子のＧＳＨのＬ−システイン残基のチオール基が酸化されグルタチオン２分子間でジスルフィド結合を形成した形態である酸化型グルタチオン（以下「ＧＳＳＧ」と称することがある）とのいずれかの形態で存在する。【０００４】
ＧＳＳＧは肥料、医薬品、化粧品などの分野で有用であることが知られている。【０００５】
特許文献１ではＧＳＳＧを含む培地を用いて植物の苗の発根を促進する技術が開示されている。特許文献１では更にＧＳＳＧを含む培地に窒素、リン及びカリウムを加えることも開示されている。特許文献１ではまた植物苗の葉にＧＳＳＧ溶液を噴霧して適用することも開示されている。【０００６】
特許文献２には、ＧＳＳＧが植物の種子又は花の数を増加させる作用や、脇芽又は分げつの数を増加させる等、収穫指数を向上させる植物生長調整剤の有効成分としてとして有用であると開示されている。特許文献２では植物の生長促進のためのＧＳＳＧの施用方法として、ＧＳＳＧを植物の葉面に散布することも開示されている。
【先行技術文献】
【特許文献】
【０００７】
【特許文献１】国際公開ＷＯ２０１１／０７１１１４
【特許文献２】国際公開ＷＯ２００８／０７２６０２
【特許文献３】国際公開ＷＯ２０１３／００２３１７
【発明の概要】
【発明が解決しようとする課題】
【０００８】
ＧＳＳＧが植物の生長を促進することは知られていたが、ＧＳＳＧを土壌に施用する場合、ＧＳＳＧは水溶性であるため容易に土壌中に流亡してしまうという問題があった。【０００９】
ＧＳＳＧを葉に施用すれば上記の問題は改善されると考えられる。しかしＧＳＳＧの葉への施用による植物生長促進作用は必ずしも満足できるものではなく、実用化にはなお改善が求められていた。一方で、ＧＳＳＧの当該作用を向上させるための技術は従来提供されていなかった。【００１０】
そこで本発明は、ＧＳＳＧを葉へ施用して植物の生長を促進する技術において、ＧＳＳＧによる植物生長作用を更に向上させることを解決すべき課題とする。
【課題を解決するための手段】
【００１１】
本発明者らは、ＧＳＳＧを葉へ施用することによって植物の生長を促進する方法において、更に肥料成分を葉に施用することを組み合わせた場合に、ＧＳＳＧと肥料成分とが相乗的に作用し、植物生長促進効果が顕著に高まるという驚くべき知見を見出し、本発明を完成するに至った。【００１２】
そこで本明細書では上記課題を解決するための手段として、以下の発明を開示する。
（１）ＧＳＳＧと肥料成分とを含有することを特徴とする、植物の葉に施用するための肥料組成物。
（２）肥料成分が窒素、リン及びカリウムを含有する、（１）に記載の肥料組成物。
（３）２５℃にて前記肥料組成物３ｇを１００ｍＬの蒸留水に分散させたときのｐＨ値が２．０以上６．５以下である、（１）又は（２）に記載の肥料組成物。
（４）ＧＳＳＧと肥料成分とを植物の葉に施用する工程を含むことを特徴とする、植物を栽培する方法。
（５）肥料成分として窒素、リン及びカリウムを施用する、（４）に記載の方法。
（６）酸化型グルタチオンと肥料成分とを、酸化型グルタチオンと肥料成分とを含有する肥料組成物であって、２５℃にて前記肥料組成物３ｇを１００ｍＬの蒸留水に分散させたときのｐＨ値が２．０以上６．５以下である肥料組成物の形態又は前記肥料組成物を希釈した形態で植物の葉に施用する、（４）又は（５）に記載の方法。
（７）酸化型グルタチオンと肥料成分とを互いに分離した形態で備える、植物の葉に施用するための肥料キット。
（８）肥料成分が窒素、リン及びカリウムを含有する、（７）に記載の肥料キット。
（９）植物の栽培において植物の葉に施用するための、酸化型グルタチオンと肥料成分との使用。
（１０）肥料成分が窒素、リン及びカリウムを含有する、（９）に記載の使用。
（１１）酸化型グルタチオンと肥料成分が、酸化型グルタチオンと肥料成分とを含有する肥料組成物であって、２５℃にて前記肥料組成物３ｇを１００ｍＬの蒸留水に分散させたときのｐＨ値が２．０以上６．５以下である肥料組成物の形態又は前記肥料組成物を希釈した形態である、（９）又は（１０）に記載の使用。【００１３】
上記（１）、（２）の肥料組成物を植物の葉に施用することで植物の生長が顕著に促進される。【００１４】
上記（３）の肥料組成物では更に、ＧＳＳＧが安定に保持されるため、植物の葉に施用した際により高い生長促進効果を得ることができる。【００１５】
上記（４）、（５）の方法によれば、ＧＳＳＧを葉に施用し肥料成分を他の箇所に施用した場合、及び、ＧＳＳＧを他の箇所に施用し肥料成分を葉に施用した場合と比較して、植物の生長が顕著に促進される。【００１６】
上記（６）の方法によれば、肥料組成物中でＧＳＳＧが安定に保持されるため、より高い生長促進効果を得ることができる。【００１７】
上記（７）、（８）のキットの各成分を植物の葉に施用することで植物の生長が顕著に促進される。【００１８】
上記（９）、（１０）の使用によれば、植物の生長を顕著に促進することができる。【００１９】
上記（１１）の方法によれば、肥料組成物中でＧＳＳＧが安定に保持されるため、より高い生長促進効果を得ることができる。【００２０】
本明細書は本願の優先権の基礎となる日本国特許出願番号2015-134539号の開示内容を包含する。
【発明の効果】
【００２１】
本発明によれば、ＧＳＳＧを葉へ施用して植物の生長を促進する技術において、ＧＳＳＧによる植物生長作用を更に向上させることができる。
【図面の簡単な説明】
【００２２】
【図１】本発明の微粉状のＧＳＳＧ含有肥料組成物を製造する手順を示すフロー図である。
【図２】本発明の微粉状のＧＳＳＧ含有肥料組成物を製造する手順を示すフロー図である。
【図３】本発明の顆粒状のＧＳＳＧ含有肥料組成物を製造する手順を示すフロー図である。
【発明を実施するための形態】
【００２３】
１．酸化型グルタチオン
酸化型グルタチオン（ＧＳＳＧ）とは、還元型グルタチオン（ＧＳＨ、Ｎ−（Ｎ−γ−Ｌ−グルタミル−Ｌ−システイニル）グリシン）の２分子がジスルフィド結合を介して結合して形成される物質である。
【化１】
2017006869.tif 000002
【００２４】
本発明では、酸化型グルタチオン（ＧＳＳＧ）とは、他の物質と結合しておらずイオン化していないフリー体（上記化学式で表される形態）、ＧＳＳＧと酸又は塩基とで形成される塩、これらの水和物、これらの混合物等の、各種形態のＧＳＳＧを包含し得る。同様に本発明では、還元型グルタチオン（ＧＳＨ）は、他の物質と結合しておらずイオン化していないフリー体、ＧＳＨと酸又は塩基とで形成される塩、これらの水和物、これらの混合物等の、各種形態のＧＳＨを包含し得る。
【００２５】
本発明の肥料組成物、肥料キット、又は本発明の方法で植物に施用される成分には、還元型グルタチオンが含まれていてもよいが、前記肥料組成物、前記肥料キット、又は前記成分中の酸化型グルタチオンの含有量が、還元型グルタチオンの含有量よりも相対的に多いことが好ましく、実質的に還元型グルタチオンを含まないことがより好ましい。より好ましくは、前記肥料組成物、前記肥料キット、又は前記成分中に含まれる酸化型グルタチオンと還元型グルタチオンとの総質量（全てフリー体として換算した質量）に対して酸化型グルタチオンの総質量（フリー体として換算した質量）は、合計で７０質量％以上、より好ましくは８０質量％以上、より好ましくは９０質量％以上、更に好ましくは９５質量％以上、更に好ましくは９８質量％以上、最も好ましくは１００質量％である。
【００２６】
ＧＳＳＧの塩としてはアンモニウム塩、カルシウム塩、マグネシウム塩、ナトリウム塩、リチウム塩等の肥料として許容される１種以上の塩であれば特に限定されないが、好ましくはアンモニウム塩、カルシウム塩及びマグネシウム塩から選択される１種以上の塩である。特許文献３に開示されている通り、ＧＳＳＧの固体状のアンモニウム塩、カルシウム塩及びマグネシウム塩は低潮解性であり取扱いが容易であるとともに高水溶性であることから特に好ましい。このような塩は、特許文献３に記載されている通り、アンモニウムイオン、カルシウムカチオン、及びマグネシウムカチオンから選択される少なくとも１種を生成し得る物質の存在下、ＧＳＳＧを水及び／又は水可溶性媒体から選択される水性媒体と接触させながら温度３０℃以上に加温することにより固体として得ることができる。加温温度は３０℃以上であれば特に限定されないが、好ましくは３３℃以上、より好ましくは３５℃以上、特に好ましくは４０℃以上であり、上限は特に限定されないが例えば８０℃以下、好ましくは７０℃以下、特に好ましくは６０℃以下であり、工業規模での生産においては５３〜６０℃の範囲が特に好ましい。前記水性媒体は、単独で用いてもよく２種以上を適宜組み合わせてもよいが、水と水可溶性媒体とを組み合わせて用いることが推奨される。この場合、水が酸化型グルタチオンの富溶媒として機能し、水可溶性媒体が貧溶媒として機能する。水可溶性媒体の容量は、水１０容量部に対して、例えば、１〜１０００容量部程度、好ましくは５〜５００容量部程度、さらに好ましくは１０〜１００容量部程度、特に１２〜５０容量部程度である。水可溶性媒体としてはアルコール類（メタノール、エタノール、プロパノール、ブタノール、エチレングリコールなど）、ケトン類（アセトン、メチルエチルケトンなど）等を用いることができる。この方法で得られるＧＳＳＧ塩としてはＧＳＳＧの１アンモニウム塩、ＧＳＳＧの０．５カルシウム塩又は１カルシウム塩、ＧＳＳＧの０．５マグネシウム塩又は１マグネシウム塩等が例示できる。
【００２７】
２．肥料成分
本発明における肥料成分とは、窒素、リン、カリウム、ケイ素、マグネシウム、カルシウム、マンガン、ホウ素、鉄等の植物に利用される元素を指す。本発明において肥料成分は、植物に利用可能な形態で肥料成分元素を含有する有機化合物又は無機化合物の形態のものを利用することができる。本発明に用いられる肥料成分としては窒素、リン、カリウム、ケイ素、マグネシウム、カルシウム、マンガン、ホウ素及び鉄からなる群から選択される少なくとも１種を少なくとも含むことが好ましく、窒素、リン及びカリウムからなる群から選択される少なくとも１種を少なくとも含むことがより好ましく、窒素、リン及びカリウムの３種の組み合わせを少なくとも含むことが特に好ましい。
【００２８】
肥料成分としての窒素は、硫酸アンモニウム、硝酸アンモニウム、塩化アンモニウム、尿素、石灰窒素等の窒素含有肥料の形態のものを利用することができる。窒素含有肥料が、肥料として利用可能な形態のリン及び／又はカリウムを含有する場合は、リン含有肥料及び／又はカリウム含有肥料としても作用する。
【００２９】
肥料成分としてのリンは、リン酸アンモニウム（第一リン酸アンモニウム（リン酸二水素アンモニウム）、第二リン酸アンモニウム（リン酸水素二アンモニウム）、又は、第三リン酸アンモニウム（リン酸三アンモニウム））、リン酸カリウム（第一リン酸カリウム（リン酸二水素カリウム）、第二リン酸カリウム（リン酸水素二カリウム））、過リン酸石灰、重過リン酸石灰、熔成リン肥、重焼リン肥、亜リン酸等のリン含有肥料の形態のものを利用することができる。リン含有肥料が、肥料として利用可能な形態の窒素及び／又はカリウムを含有する場合は、窒素含有肥料及び／又はカリウム含有肥料としても作用する。
【００３０】
肥料成分としてのカリウムは、硫酸カリウム、塩化カリウム、重炭酸カリウム等のカリウム含有肥料の形態のものを利用することができる。カリウム含有肥料が、肥料として利用可能な形態のリン及び／又は窒素を含有する場合は、リン含有肥料及び／又は窒素含有肥料としても作用する。
【００３１】
また上記以外に生石灰、消石灰、苦土石灰、炭酸カルシウム等のカルシウム含有肥料；ケイ酸カルシウム等のケイ素含有肥料；鉱さいけい酸質肥料；硫酸マグネシウム、塩化マグネシウム、腐植酸苦土肥料等のマグネシウム含有肥料；硫酸マンガン肥料、硫酸苦土マンガン、鉱さいマンガン肥料等のマンガン含有肥料；ホウ酸、ホウ酸塩等のホウ素含有肥料；微量要素複合肥料；鉄鋼スラグ等の鉄含有肥料；硫酸亜鉛等の亜鉛含有肥料等の形態の、植物が利用可能な形態の肥料成分を使用することができる。
【００３２】
なおＧＳＳＧの分子中には窒素が含まれ、ＧＳＳＧ塩の対イオンとして他の肥料成分になり得る元素が含まれ得るが、本発明の肥料組成物、肥料キット又は方法でＧＳＳＧと併用する「肥料成分」とは、ＧＳＳＧ以外の形態で存在する肥料成分を指す。
【００３３】
３．ＧＳＳＧ及び肥料成分の葉への施用
本発明ではＧＳＳＧと肥料成分とを葉に施用することを特徴とする。実施例において確認されている通りＧＳＳＧと肥料成分とを葉に施用することによって植物の生育が顕著に促進される。
【００３４】
ＧＳＳＧと肥料成分とは、必ずしも同時に又は連続して施用される必要はなく、別々の時点で葉に施用されてもよい。また、ＧＳＳＧと肥料成分とは一体の組成物中に含有された状態で施用される必要はなく、それぞれが物理的に分離した組成物に含有された状態で、同時に、連続して、又は異なる時間に施用されてもよい。各成分を含む組成物又はキットの構成については後述する通りである。本発明の方法に使用するＧＳＳＧと肥料成分とは、後述する本発明の組成物又はキットの形態で準備されたものである必要はなく、各々独立して準備されたものであっても構わない。ただし、後述する本発明の組成物又はキットの形態、特に本発明の組成物の形態のＧＳＳＧ及び肥料成分を本発明の方法に用いると操作が簡便であり好ましい。肥料成分が複数の成分を含む場合も同様に、各成分は同時に又は連続して施用されてもよいし、少なくとも一部の成分が別々の時点で葉に施用されてもよい。複数の肥料成分は一体の組成物中に含有された状態で施用される必要はなく、該複数の成分のうち１つまたは２つ以上を各々が含む、物理的に分離した２以上の組成物に含有された状態で、同時に、連続して、又は異なる時間に施用されてもよい。
【００３５】
ＧＳＳＧ及び肥料成分の葉への施用は、各成分が水及び／又は水溶性溶媒に溶解又は分散した、好ましくは溶解した液体の状態で葉面に付着させて施用する方法や、各成分を含む粉末等の固形物を葉面に付着させて施用する方法等により行うことができる。前記水溶性溶媒としては、エタノール、メタノール等のアルコールが使用できる。前記液体を葉面に供給する方法としては噴霧、塗布等の方法が使用できる。
【００３６】
葉に施用されるＧＳＳＧと肥料成分との割合は特に限定されず、適宜調整することができる。好ましくは、ＧＳＳＧと肥料成分とを、植物生長促進効果を相乗的に発揮することのできる割合で葉に施用する。肥料成分として窒素を施用する場合、ＧＳＳＧの合計量１００質量部（本発明では特に明示しない限り、ＧＳＳＧの質量及び質量部として、全てフリー体ＧＳＳＧとして換算した質量及び質量部を用いる。以下同様である）に対して、窒素は例えば１質量部以上（本発明では、肥料成分としての窒素の質量及び質量部は、特に明示しない限りＮ原子として換算した質量及び質量部を用いる。以下同様である）、好ましくは１０質量部以上、より好ましくは２０質量部以上、より好ましくは３０質量部以上であり、例えば１０００質量部以下、好ましくは８００質量部以下、好ましくは４００質量部以下、好ましくは１５０質量部以下であり、好ましくは１〜１０００質量部、より好ましくは１０〜８００質量部、より好ましくは１０〜４００質量部、より好ましくは１０〜１５０質量部、より好ましくは２０〜４００質量部、より好ましくは２０〜１５０質量部、最も好ましくは３０〜１５０質量部である。肥料成分としてリンを施用する場合、ＧＳＳＧの合計量１００質量部（同上）に対して、リンは例えば１質量部以上（本発明では、肥料成分としてのリンの質量及び質量部は、特に明示しない限りＰ２Ｏ５として換算した質量及び質量部を用いる。以下同様である）、好ましくは１０質量部以上、より好ましくは２０質量部以上、より好ましくは３０質量部以上であり、例えば１２００質量部以下、好ましくは５００質量部以下、好ましくは４００質量部以下、好ましくは１５０質量部以下であり、好ましくは１０〜１２００質量部、より好ましくは１０〜５００質量部、より好ましくは１０〜４００質量部、より好ましくは１０〜１５０質量部、より好ましくは２０〜５００質量部、より好ましくは２０〜４００質量部、より好ましくは２０〜１５０質量部、最も好ましくは３０〜１５０質量部である。肥料成分としてカリウムを施用する場合、ＧＳＳＧの合計量１００質量部（同上）に対して、カリウムは例えば１質量部以上（本発明では、肥料成分としてのカリウムの質量及び質量部は、特に明示しない限りＫ２Ｏとして換算した質量及び質量部を用いる。以下同様である）、好ましくは１０質量部以上、より好ましくは２０質量部以上、より好ましくは３０質量部以上であり、例えば１２００質量部以下、好ましくは５００質量部以下、好ましくは２００質量部以下、好ましくは１５０質量部以下であり、好ましくは１０〜１２００質量部、より好ましくは１０〜５００質量部、より好ましくは１０〜２００質量部、より好ましくは１０〜１５０質量部、より好ましくは２０〜５００質量部、より好ましくは２０〜２００質量部、より好ましくは２０〜１５０質量部、より好ましくは３０〜２００質量部、最も好ましくは３０〜１５０質量部である。ここで挙げた量比は、一度に（同時に又は連続して）施用される分量中の量比とは限らず、植物に施用される各成分の通算の量に関しての比であるが、同時に又は連続して施用される各成分の量比が前記範囲内にあることがより好ましい。
【００３７】
ＧＳＳＧ及び肥料成分の葉への施用量は特に限定されないが、植物の生長を促進するのに有効な量、特に相乗的に植物の生長を促進するのに有効な量、を施用することが好ましい。植物の生長を促進するのに有効な施用量としては、ＧＳＳＧ（フリー体換算）の施用量は植物体１つあたり通常は０．０１ｍｇ以上、例えば０．１ｍｇ以上であり、上限は特に限定されないが通常は１００ｍｇ以下、例えば３０ｍｇ以下であり、肥料成分として窒素を施用する場合は窒素（Ｎ換算）の施用量は植物体１つあたり通常は０．０１ｍｇ以上、例えば０．１ｍｇ以上であり、上限は特に限定されないが通常は１００ｍｇ以下、例えば３０ｍｇ以下であり、肥料成分としてリンを施用する場合はリン（Ｐ２Ｏ５換算）の施用量は植物体１つあたり通常は０．０１ｍｇ以上、例えば０．１ｍｇ以上であり、上限は特に限定されないが通常は１００ｍｇ以下、例えば３０ｍｇ以下であり、肥料成分としてカリウムを施用する場合はカリウム（Ｋ２Ｏ換算）の施用量は植物体１つあたり通常は０．０１ｍｇ以上、例えば０．１ｍｇ以上であり、上限は特に限定されないが通常は１００ｍｇ以下、例えば３０ｍｇ以下である。
【００３８】
各成分の葉への施用時期は特に限定されないが、好ましくは栄養生長期（葉、根の生長時期）、または、生殖成長期（着蕾時、開花時、結実時）である。また、施用回数は限定されず、複数回、時期をわけて施用してもよい。
【００３９】
本発明の方法で植物を栽培する場合は、ＧＳＳＧ及び肥料成分の葉への施用に加えて、ＧＳＳＧ及び／又は肥料成分、より好ましくは肥料成分、の植物の葉以外の部分（例えば根）への施用を行うことが好ましい。根への施用は、植物の根と接する土壌及び／又は水に、ＧＳＳＧ及び／又は肥料成分を施用することにより行うことができる。ＧＳＳＧ又はある肥料成分を葉以外の部分にも施用する場合、該部分への施用量は特に限定されないが、例えばＧＳＳＧ又はある肥料成分の葉への施用量を１００質量部としたとき、葉以外の部分への、対応するＧＳＳＧ又は該成分の施用量は好ましくは０．０１〜１，０００，０００質量部、より好ましくは０．１〜１００，０００質量部とすることができる。
【００４０】
４．肥料組成物及び肥料キット
本発明の、酸化型グルタチオンと肥料成分とを含有する、植物の葉に施用するための肥料組成物の形態は特に限定されない。本発明の肥料組成物は、対象植物の葉面に直接噴霧又は塗布できる液状物；水、水溶性溶媒（メタノール、エタノール等）、これらのうち２種以上の混合溶媒等の溶媒により希釈してから施用される液状物；水、水溶性溶媒（メタノール、エタノール等）、これらのうち２種以上の混合溶媒等の溶媒により溶解又は分散してから施用される粉末、顆粒等の固形物；対象植物の葉面に直接散布される粉末（粉剤）等の固形物；クレー、タルク、土壌等の固形物により希釈してから施用される粉末（粉剤）等の固形物のような任意の形状であることができ、保存安定性を考慮すると固形物の形態が好ましい。
【００４１】
本発明の肥料組成物が液状物である場合、酸化型グルタチオン及び肥料成分以外に、水、メタノール、エタノール等の水溶性溶媒等の溶媒、界面活性剤（直鎖アルキルベンゼンスルホン酸塩等）、分散安定化剤（カルボキシメチルセルロース、その塩等）、増粘剤、酸化防止剤等の成分を含むことができる。
【００４２】
本発明の肥料組成物が固形物である場合、界面活性剤（直鎖アルキルベンゼンスルホン酸塩、アルキルナフタレンスルホン酸塩、ラウリル硫酸塩、ヒマシ油カリ石けん等）、分散安定化剤（カルボキシメチルセルロース、その塩、等）、賦形剤（乳糖等）、崩壊剤、増粘剤、酸化防止剤等の成分を含むことができる。
【００４３】
本発明の肥料組成物中の、酸化型グルタチオンと肥料成分との配合割合は、前記３．で挙げた施用時の両者の割合と同様に設定することができる。
【００４４】
本発明の肥料組成物の製造方法は特に限定されず、各成分を混合したり、固形状組成物であれば必要に応じて粉砕、造粒、乾燥等の操作をして、液体状組成物であれば必要に応じて撹拌、乳化分散等の操作をして製造することができる。
【００４５】
本発明の肥料組成物は、好ましくは、２５℃にて該肥料組成物３ｇを１００ｍＬの蒸留水に分散させたときのｐＨ値が２．０以上６．５以下、より好ましくは６．０以下、更に好ましくは５．５以下、更に好ましくは５．０以下、最も好ましくは４．５以下である。前記条件でのｐＨ値が前記上限以下であるとき、本発明の肥料組成物中では酸化型グルタチオンが安定に存在することができるため、該肥料組成物を葉へ施用すると高い効果を得ることができる。前記条件でのｐＨ値が前記下限以上であるとき、本発明の肥料組成物を植物に施用したときに障害を引き起こす可能性が少なく好ましい。
【００４６】
前記測定では蒸留水として、蒸留水製造装置（イオン交換水から蒸留し、濾過する機器）にて製造した蒸留水や、市販されている蒸留水を用いることができる。
【００４７】
前記測定では、蒸留水を例えば２００ｍＬ容量のビーカーなどの容器に入れ、本発明の肥料組成物を加え、スターラー等で撹拌して十分に分散させる。このとき水溶性成分は溶解し、不溶性成分は含まれる場合は不溶性成分を十分に分散させる。
【００４８】
２５℃にて該肥料組成物３ｇを１００ｍＬの蒸留水に分散させたときのｐＨ値が２．０以上６．５以下となる本発明の肥料組成物は、上記の形態のいずれであってもよいが、より好ましくは、水、水溶性溶媒（メタノール、エタノール等）、これらのうち２種以上の混合溶媒等の溶媒により溶解又は分散してから施用される粉末、顆粒等の固形物、対象植物の葉面に直接散布される粉末（粉剤）等の固形物、或いは、クレー、タルク、土壌等の固形物により希釈してから施用される粉末（粉剤）等の固形物である。
【００４９】
本発明の、植物の葉に施用するための肥料キットは、酸化型グルタチオンと肥料成分とを互いに分離した形態で備える。ここで「互いに分離した形態で備える」とは、別々に包装されていたり、区分けして包装されているなどして、両成分が混合しないようにキットに含まれていることを言う。
【００５０】
本発明の肥料キットは、酸化型グルタチオンを含む組成物と、肥料成分を含む組成物とを、別個の組成物として備えることができる。酸化型グルタチオンを含む組成物が複数の別個の組成物から構成されていてもよく、肥料成分を含む組成物もまた複数の別個の組成物から構成されていてもよい。本発明のキットにおいて肥料成分が複数の成分を含む場合、該肥料成分を含む組成物は、一体の組成物から構成されていてもよいし、該複数の成分のうち１つまたは２つ以上を各々が含む、別個の２以上の組成物から構成されていてもよい。各組成物は、肥料組成物について上記したのと同様に、対象植物の葉面に直接噴霧又は塗布できる液状物；水、水溶性溶媒（メタノール、エタノール等）、これらのうち２種以上の混合溶媒等の溶媒により希釈してから施用される液状物；水、水溶性溶媒（メタノール、エタノール等）、これらのうち２種以上の混合溶媒等の溶媒により溶解又は分散してから施用される粉末、顆粒等の固形物；対象植物の葉面に直接散布される粉末（粉剤）等の固形物；クレー、タルク、土壌等の固形物により希釈してから施用される粉末（粉剤）等の固形物のような任意の形状であることができ、保存安定性を考慮すると固形物の形態が好ましい。本発明の肥料キットの各組成物に含まれる他の成分としては、本発明の肥料組成物に含まれる前記他の成分と同様のものが挙げられる。本発明の肥料キットの各組成物の製造方法についても、本発明の肥料組成物の製造方法と同様の方法を採用することができる。
【００５１】
本発明の肥料キット中の、酸化型グルタチオンと肥料成分との配合割合は、前記３．で挙げた施用時の両者の割合と同様に設定することができる。
【００５２】
本発明の肥料組成物及び肥料キットは、それぞれ、植物の生育を促進するための、好ましくは植物体の重量を増加させるための、肥料組成物及び肥料キットとして有用である。
【００５３】
５．使用
本発明は、植物の栽培において植物の葉に施用するための、酸化型グルタチオンと肥料成分との使用に関する。
【００５４】
酸化型グルタチオンと肥料成分とを、植物の栽培において植物の葉に施用する態様については、前記３．に記載の通りである。
【００５５】
本発明の使用における、酸化型グルタチオンと肥料成分との組み合わせは、前記４．で詳述した本発明の肥料組成物又は肥料キットの形態であることが好ましいが、各々独立して準備されたものであっても構わない。
【００５６】
６．対象植物
本発明の徐放性肥料を施用する対象植物は特に限定されず双子葉植物、単子葉植物等の種々の植物である。
【００５７】
例えばアサガオ属植物、ヒルガオ属植物、サツマイモ属植物、ネナシカズラ属植物、ナデシコ属植物、ハコベ属植物、タカネツメクサ属植物、ミミナグサ属植物、ツメクサ属植物、ノミノツヅリ属植物、オオヤマフスマ属植物、ワチガイソウ属植物、ハマハコベ属植物、オオツメクサ属植物、シオツメクサ属植物、マンテマ属植物、センノウ属植物、フシグロ属植物、ナデシコ科植物、モクマモウ科植物、ドクダミ科植物、コショウ科植物、センリョウ科植物、ヤナギ科植物、ヤマモモ科植物、クルミ科植物、カバノキ科植物、ブナ科植物、ニレ科植物、クワ科植物、イラクサ科植物、カワゴケソウ科植物、ヤマモガシ科植物、ボロボロノキ科植物、ビャクダン科植物、ヤドリギ科植物、ウマノスズクサ科植物、ヤッコソウ科植物、ツチトリモチ科植物、タデ科植物、アカザ科植物、ヒユ科植物、オシロイバナ科植物、ヤマトグサ科植物、ヤマゴボウ科植物、ツルナ科植物、スベリヒユ科植物、モクレン科植物、ヤマグルマ科植物、カツラ科植物、スイレン科植物、マツモ科植物、キンポウゲ科植物、アケビ科植物、メギ科植物、ツヅラフジ科植物、ロウバイ科植物、クスノキ科植物、ケシ科植物、フウチョウソウ科植物、アブラナ科植物、モウセンゴケ科植物、ウツボカズラ科植物、ベンケイソウ科植物、ユキノシタ科植物、トベラ科植物、マンサク科植物、スズカケノキ科植物、バラ科植物、マメ科植物、カタバミ科植物、フウロソウ科植物、アマ科植物、ハマビシ科植物、ミカン科植物、ニガキ科植物、センダン科植物、ヒメハギ科植物、トウダイグサ科植物、アワゴケ科植物、ツゲ科植物、ガンコウラン科植物、ドクウツギ科植物、ウルシ科植物、モチノキ科植物、ニシキギ科植物、ミツバウツギ科植物、クロタキカズラ科植物、カエデ科植物、トチノキ科植物、ムクロジ科植物、アワブキ科植物、ツリフネソウ科植物、クロウメモドキ科植物、ブドウ科植物、ホルトノキ科植物、シナノキ科植物、アオイ科植物、アオギリ科植物、サルナシ科植物、ツバキ科植物、オトギリソウ科植物、ミゾハコベ科植物、ギョリュウ科植物、スミレ科植物、イイギリ科植物、キブシ科植物、トケイソウ科植物、シュウカイドウ科植物、サボテン科植物、ジンチョウゲ科植物、グミ科植物、ミソハギ科植物、ザクロ科植物、ヒルギ科植物、ウリノキ科植物、ノボタン科植物、ヒシ科植物、アカバナ科植物、アリノトウグサ科植物、スギナモ科植物、ウコギ科植物、セリ科植物、ミズキ科植物、イワウメ科植物、リョウブ科植物、イチヤクソウ科植物、ツツジ科植物、ヤブコウジ科植物、サクラソウ科植物、イソマツ科植物、カキノキ科植、ハイノキ科植物、エゴノキ科植物、モクセイ科植物、フジウツギ科植物、リンドウ科植物、キョウチクトウ科植物、ガガイモ科植物、ハナシノブ科植物、ムラサキ科植物、クマツヅラ科植物、シソ科植物、ナス科植物、ゴマノハグサ科植物、ノウゼンカズラ科植物、ゴマ科植物、ハマウツボ科植物、イワタバコ科植物、タヌキモ科植物、キツネノマゴ科植物、ハマジンチョウ科植物、ハエドクソウ科植物、オオバコ科植物、アカネ科植物、スイカズラ科植物、レンプクソウ科植物、オミナエシ科植物、マツムシソウ科植物、ウリ科植物、キキョウ科植物、キク科植物等に施用することができる。
【００５８】
単子葉植物としては例えばウキクサ属植物、アオウキクサ属植物、カトレア属植物、シンビジウム属植物、デンドロビューム属植物、ファレノプシス属植物、バンダ属植物、パフィオペディラム属植物、ラン科植物、ガマ科植物、ミクリ科植物、ヒルムシロ科植物、イバラモ科植物、ホロムイソウ科植物、オモダカ科植物、トチカガミ科植物、ホンゴウソウ科植物、イネ科植物、カヤツリグサ科植物、ヤシ科植物、サトイモ科植物、ホシグサ科植物、ツユクサ科植物、ミズアオイ科植物、イグサ科植物、ビャクブ科植物、ユリ科植物、ヒガンバナ科植物、ヤマノイモ科植物、アヤメ科植物、バショウ科植物、ショウガ科植物、カンナ科植物、ヒナノシャクジョウ科植物等に施用することができる。
【００５９】
対象となる植物は野生型の植物には限定されず、変異体や形質転換体等であってもよい。
【実施例】
【００６０】
以下、本発明を、具体例を参照して説明する。しかしながら以下の具体例は本発明の特範囲を限定するものではない。なお実施例で用いたＧＳＳＧは還元型グルタチオンを含まない。【００６１】
実施例１：水溶性製剤の製造
１．組成
次表に示す組成を有するＧＳＳＧ含有肥料組成物を、微粉状および顆粒状の２種類の水溶性製剤として製造した。下記配合Ａ、ＢではＧＳＳＧとしてアンモニウム塩の形態のものを用いた。表１、表２に示す比は当該塩の形態での比である。【００６２】
【表１】
2017006869.tif 000003
【００６３】
【表２】
2017006869.tif 000004
【００６４】
２．微粉状水溶性製剤の製造
微粉状の水溶性製剤（１）を、上記配合Ａにて、図１に示すフローに従い調製した。具体的には、酸化型グルタチオンアンモニウム塩、硫酸アンモニウム、第一リン酸アンモニウム、及び硫酸カリウムを、混合し粉砕して、微粉状の水溶性製剤（１）を調製した。得られた微粉状水溶性製剤（１）を３ｇ計量し、２００ｍＬ容量のビーカー中で２５℃にて１００ｍＬの蒸留水に分散させ、スターラーを用いてすべて溶解後、ｐＨメーター計を用いて、ｐＨを測定したところ、ｐＨ値は３．９であった。【００６５】
また、微粉状の水溶性製剤（２）を、上記配合Ｂにて、図２に示すフローに従い調製した。具体的には、酸化型グルタチオンアンモニウム塩、硫酸アンモニウム、第一リン酸アンモニウム、硫酸カリウム、直鎖アルキルベンゼンスルホン酸塩、及びカルボキシメチルセルロースＮａを、混合し粉砕して、微粉状の水溶性製剤（２）を調製した。得られた微粉状水溶性製剤（２）を３ｇ計量し、２００ｍＬ容量のビーカー中で２５℃にて１００ｍＬの蒸留水に分散させ、スターラーを用いてすべて溶解後、ｐＨメーター計を用いて、ｐＨを測定したところ、ｐＨ値は３．９であった。【００６６】
３．顆粒状水溶性製剤の製造
顆粒状の水溶性製剤を、上記配合Ｂにて、図３に示すフローに従い調製した。【００６７】
まず、酸化型グルタチオンアンモニウム塩、硫酸アンモニウム、第一リン酸アンモニウム、硫酸カリウム、直鎖アルキルベンゼンスルホン酸塩、カルボキシメチルセルロースＮａを混合し粉砕して、６種混合微粉を形成した。【００６８】
次いで、適量の水（約３５ｍｌ）を添加し、造粒機（ＳＰグラニュレーター、不二パウダル（株）製）を用いて造粒し、流動層乾燥機（ミゼットドライヤー、不二パウダル（株）製）を用いて７０℃１５分間の条件で乾燥させた。乾燥物を分級し径が４ｍｍよりも大きい顆粒を篩により分級して除外し、径が４ｍｍ以下の顆粒状水溶性製剤４９０ｇ（収率９８％）を得た。【００６９】
実施例２：葉面散布効果
本発明のＧＳＳＧ含有肥料組成物を葉面散布し効果を確認した。
１．試験方法
以下の条件でレタス（リーフグリーンレタス、サカタのタネ）の育苗を行った。【００７０】
期間：２週間
場所：植物インキュベーター内
培土：黒土（４０ｍｌ／ポット）
温度：２２℃
光：１１５μｍｏｌ  ｍ−２  ｓ−１  （１００００ｌｕｘ）  （明１６時間／暗８時間）
ポットサイズ：７ｃｍ×７ｃｍ×５ｃｍ
ｎ数：３
水供給：育苗試験期間中、ポット内の土壌が乾燥しない程度に適宜水を供給した（約２０ｍｌ／週程度）。【００７１】
試験区：下記表３に示すように無処理試験区、比較例１試験区、比較例２試験区、本発明試験区の４つの試験区を設定した。【００７２】
（無処理試験区）
無処理試験区は肥料成分（窒素、リン、カリウム）を培土のみに施用し、ＧＳＳＧを施用しない試験区である。【００７３】
無処理試験区では、窒素、リン、カリウムがそれぞれＮ、Ｐ２Ｏ５、Ｋ２Ｏとしての換算量で４０ｍｇ、合計１２０ｍｇ／ポットとなるように播種時に培土を調製した。具体的には、培土４０ｍｌ、硫酸アンモニウム１５６ｍｇ、第一リン酸アンモニウム６６ｍｇ、硫酸カリウム８０ｍｇを容器に量りとり、均一になるように混合し、ポットに入れた。本実験に用いた硫酸アンモニウムは窒素（Ｎ換算）を２１％含有し、第一リン酸アンモニウムは窒素（Ｎ換算）を１１％、リン（Ｐ２Ｏ５換算）を６１％含有し、硫酸カリウムはカリウム（Ｋ２Ｏ換算）を５０％含有する（各製品の表示量に基づく）。【００７４】
ポット中の培土にレタスの種子を播種し育苗試験を開始した。【００７５】
（比較例１試験区）
比較例１試験区は、ＧＳＳＧと肥料成分（窒素、リン、カリウム）とを培土のみに施用した試験区である。【００７６】
肥料成分の培土への施用方法及び施用量は上記無処理区と同じである。【００７７】
ＧＳＳＧの培土への施用は、ＧＳＳＧ水溶液を培土に添加して行った。まず水中に３００ｐｐｍの濃度でＧＳＳＧ（ＧＳＳＧフリー体として換算。以下同じ）が溶解した水溶液を調製した。次いで、試験期間期間中に１ポットあたりフリー体換算で３．６ｍｇのＧＳＳＧが施用されるように、前記ＧＳＳＧ水溶液を育苗開始６日目から３日おきに３回に分け各ポットの培土に各回４ｍｌ合計１２ｍｌを添加した。【００７８】
（比較例２試験区）
比較例２試験区は、ＧＳＳＧを葉面散布し、肥料成分（窒素、リン、カリウム）を培土に施用した試験区である。【００７９】
肥料成分の培土への施用方法及び施用量は上記無処理区と同じである。【００８０】
ＧＳＳＧの葉面への施用は、ＧＳＳＧ水溶液を葉面に噴霧することにより行った。比較例１と同様のＧＳＳＧ水溶液（ＧＳＳＧ濃度３００ｐｐｍ）を調製し、試験期間期間中に１ポットあたりフリー体換算で３．６ｍｇのＧＳＳＧが施用されるように、前記ＧＳＳＧ水溶液を育苗開始６日目から３日おきに３回に分け、各回４ｍｌ合計１２ｍｌを各ポットの苗の葉面に霧吹きを用い噴霧することにより実施した。【００８１】
（本発明試験区）
本発明試験区は、ＧＳＳＧと肥料成分（窒素、リン、カリウム）のうち一部（１０％分）とを葉面散布し、９０％分の肥料成分は培土中に施用した試験区である。肥料成分の総量は他の試験区と同じになるようにした。【００８２】
本発明試験区での肥料成分の培土への施用は窒素、リン、カリウムがそれぞれＮ、Ｐ２Ｏ５、Ｋ２Ｏとしての換算量で３６ｍｇ、合計１０８ｍｇ／ポットとなるように播種時に培土を調製した。具体的には、培土を４０ｍｌ、肥料成分として硫酸アンモニウム１４０．４ｍｇ、リン酸アンモニウム５９．４ｍｇ、硫酸カリウム７２ｍｇを容器に量りとり、均一になるように混合し、ポットに入れた。【００８３】
一方、ＧＳＳＧの葉面散布は、実施例１に示す配合Ａに従い調製された微粉状水溶性製剤（１）３３．８ｍｇを水１２ｍＬに溶解させ、ＧＳＳＧ肥料成分含有水溶液を調製し、次いで、前記ＧＳＳＧ肥料成分含有水溶液を育苗開始６日目から３日おきに３回に分け、各回４ｍｌ合計１２ｍｌを各ポットの苗の葉面に霧吹きを用い噴霧することにより実施した。１ポットに噴霧される１２ｍｌの前記ＧＳＳＧ肥料成分含有水溶液には、微粉状水溶性製剤（１）が３３．８ｍｇ含まれ、ＧＳＳＧ（フリー体換算）が３．５ｍｇ、硫酸アンモニウムが１５．６ｍｇ、リン酸アンモニウムが６．６ｍｇ、硫酸カリウムが８ｍｇ含まれる。【００８４】
【表３】
2017006869.tif 000005
【００８５】
表中の各数字は、葉面散布又は培土施用により試験期間中に施用された１ポットあたりの各成分の通算施用量（単位mg）を示す。表中「−」は葉面又は培土への施用を行っていないことを指す。【００８６】
２．結果
試験期間２週間終了後に各試験区について地上部の新鮮重（平均値）を測定し、生長率を算出した。【００８７】
生長率は無処理区（肥料成分のみを培土施用）での地上部新鮮重に対する、各試験区での地上部新鮮重の百分率を示す。【００８８】
【表４】
2017006869.tif 000006
【００８９】
３．考察
無処理試験区と比較例１試験区との比較からＧＳＳＧの施用により植物の生長が促進されることがわかる。【００９０】
比較例１試験区と比較例２試験区との比較から、ＧＳＳＧを葉面散布することにより培土施用と比較して植物の生長が促進されるが、促進の程度は顕著でないことが明らかとなった。【００９１】
本発明試験区と比較例２試験区との比較から、ＧＳＳＧと肥料成分の一部とを葉面散布する場合は、ＧＳＳＧのみを葉面散布し肥料成分を培土のみに施用する場合と比較して植物の生長が２倍以上に促進されることが明らかとなった。【００９２】
比較例２試験区では比較例１試験区と比較して生長率は約１．１５倍であった。従って、ある成分を培土施用から葉面散布に切り替えることで生長率は約１．１５倍となると合理的に推定できる。このため比較例２試験区において培土施用されている肥料成分の１０％を葉面散布に切り替え９０％は比較例２試験区と同様に培土施用する本発明試験区では、植物の生長率は、比較例２試験区の生長率１４９％に対して約１．０１５倍（すなわち生長率約１５１％）になると推定される。ところが実際には本発明試験区の生長率は３１４％であり、比較例２試験区の生長率１４９％に対して約２．１倍であった。このことからＧＳＳＧと肥料成分とは葉面散布することにより相乗的に植物の生長を促進することが明らかとなった。【００９３】
実施例３：安定性試験
１．製剤化
表５に示す配合Ｃ、配合Ｄ、配合Ｅの組成を有する顆粒状水溶性製剤（以下、肥料組成物という）を、実施例１の「３．顆粒状水溶性製剤の製造」に記載の方法における６種の原料を混合し粉砕する工程の代わりに、各配合に示す原料を混合し粉砕する工程を行った以外は前記方法と同様の方法で調製し、以下の評価に用いた。【００９４】
２．評価手順
２．１．ｐＨの測定
２５℃にて各肥料組成物を天秤にて３ｇ計量し、１００ｍＬの蒸留水に溶解させた。スターラーを用いてすべて溶解後、ｐＨメーター計を用いて、ｐＨを測定した。【００９５】
２．２．保存安定性
各肥料組成物を天秤にて３ｇ計量後、アルミ製袋に入れ、密閉した。その後、６０℃の恒温槽に一週間保管した。一週間後、サンプルを取り出し、高速液体クロマトグラフィー（ＨＰＬＣ）にてＧＳＳＧフリー体の含量を測定した（詳細条件は下記を参照）。保存試験開始前の各肥料組成物中のＧＳＳＧのフリー体換算の質量を１００％としたときの、保存試験後の肥料組成物に残存するＧＳＳＧのフリー体換算の質量の相対値を「保存安定性」として表５に示す。【００９６】
２．２．１．ＨＰＬＣ条件
移動相：０．１％リン酸：アセトニトリル＝９８：２から４０：６０に１５分間連続的に変化させた。
カラム：ナカライテスク製  ＣＯＳＭＯＳＩＬ  ５Ｃ１８−ＡＲ−ＩＩ
カラム温度：３０℃
検出波長：２１０ｎｍ
流速：１．０ｍｌ／分【００９７】
【表５】
2017006869.tif 000007
【００９８】
３．考察
本発明の肥料組成物中ではＧＳＳＧが安定に保持されることが確認された。なかでも上記条件で測定されたｐＨ値が６．５以下である肥料組成物の形態ではＧＳＳＧがより安定的に保持され、ｐＨ値が６．０以下である肥料組成物の形態ではＧＳＳＧが特に安定的に保持されることが確認された。【００９９】
実施例４：葉面散布効果
本発明のＧＳＳＧ含有肥料組成物を葉面散布し効果を確認した。
１．試験方法
以下の条件でレタス（サウザー、タキイ種苗）の育苗を行った。【０１００】
期間：２週間
場所：植物インキュベーター内
培土：黒土（４０ｍＬ／ポット）
温度：２０℃
光：３００μｍｏｌ  ｍ−２  ｓ−１  （２００００ｌｕｘ）  （明１６時間／暗８時間）
ポットサイズ：７ｃｍ×７ｃｍ×５ｃｍ
ｎ数：３
水供給：育苗試験期間中、ポット内の土壌が乾燥しない程度に適宜水を供給した（約２０ｍＬ／週程度）。【０１０１】
試験区：下記表６に示すように無処理試験区、比較例３試験区、比較例４試験区、本発明試験区の４つの試験区を設定した。【０１０２】
（無処理試験区）
無処理試験区は肥料成分（窒素、リン、カリウム）を培土のみに施用し、ＧＳＳＧを施用しない試験区である。【０１０３】
無処理試験区では、窒素、リン、カリウムがそれぞれＮ、Ｐ２Ｏ５、Ｋ２Ｏとしての換算量で４０ｍｇ、合計１２０ｍｇ／ポットとなるように播種時に培土を調製した。具体的には、培土４０ｍＬ、硫酸アンモニウム１５６ｍｇ、第一リン酸アンモニウム６６ｍｇ、硫酸カリウム８０ｍｇを容器に量りとり、均一になるように混合し、ポットに入れた。本実験に用いた硫酸アンモニウムは窒素（Ｎ換算）を２１％含有し、第一リン酸アンモニウムは窒素（Ｎ換算）を１１％、リン（Ｐ２Ｏ５換算）を６１％含有し、硫酸カリウムはカリウム（Ｋ２Ｏ換算）を５０％含有する（各製品の表示量に基づく）。【０１０４】
ポット中の培土にレタスの種子を播種し育苗試験を開始した。【０１０５】
（比較例３試験区）
比較例３試験区は、肥料成分（窒素、リン、カリウム）のうち一部（１０％分）を葉面散布し、９０％分の肥料成分は培土中に施用した試験区である。肥料成分の総量は他の試験区と同じになるようにした。【０１０６】
肥料成分の培土への施用は窒素、リン、カリウムがそれぞれＮ、Ｐ２Ｏ５、Ｋ２Ｏとしての換算量で３６ｍｇ、合計１０８ｍｇ／ポットとなるように播種時に培土を調製した。具体的には、培土を４０ｍＬ、肥料成分として硫酸アンモニウム１４０．４ｍｇ、リン酸アンモニウム５９．４ｍｇ、硫酸カリウム７２ｍｇを容器に量りとり、均一になるように混合し、ポットに入れた。【０１０７】
一方、葉面散布は、硫酸アンモニウム１５．６ｍｇ、リン酸アンモニウム６．６ｍｇ、硫酸カリウム８ｍｇを水１２ｍＬに溶解させ、肥料水溶液を調製した。次いで、前記肥料水溶液を育苗開始６日目から３日おきに３回に分け、各回４ｍＬ合計１２ｍＬを各ポットの苗の葉面に霧吹きを用い噴霧することにより実施した。【０１０８】
（比較例４試験区）
比較例４試験区は、肥料成分（窒素、リン、カリウム）のうち一部（１０％分）を葉面散布し、９０％分の肥料成分は培土中に施用した試験区である。肥料成分の総量は他の試験区と同じになるようにした。【０１０９】
肥料成分の培土への施用は窒素、リン、カリウムがそれぞれＮ、Ｐ２Ｏ５、Ｋ２Ｏとしての換算量で３６ｍｇ、合計１０８ｍｇ／ポットとなるように播種時に培土を調製した。具体的には、培土を４０ｍＬ、肥料成分として硫酸アンモニウム１４０．４ｍｇ、リン酸アンモニウム５９．４ｍｇ、硫酸カリウム７２ｍｇを容器に量りとり、均一になるように混合し、ポットに入れた。【０１１０】
ＧＳＳＧの培土への施用は、ＧＳＳＧ水溶液を培土に添加して行った。まず水中に３００ｐｐｍの濃度でＧＳＳＧ（ＧＳＳＧフリー体として換算。以下同じ）が溶解した水溶液を調製した。次いで、試験期間期間中に１ポットあたりフリー体換算で３．６ｍｇのＧＳＳＧが施用されるように、前記ＧＳＳＧ水溶液を育苗開始６日目から３日おきに３回に分け各ポットの培土に各回４ｍＬ合計１２ｍＬを添加した。【０１１１】
一方、葉面散布は、硫酸アンモニウム１５．６ｍｇ、リン酸アンモニウム６．６ｍｇ、硫酸カリウム８ｍｇを水１２ｍＬに溶解させ、肥料水溶液を調製した。次いで、前記肥料水溶液を育苗開始６日目から３日おきに３回に分け、各回４ｍＬ合計１２ｍＬを各ポットの苗の葉面に霧吹きを用い噴霧することにより実施した。【０１１２】
（本発明試験区）
本発明試験区は、ＧＳＳＧと肥料成分（窒素、リン、カリウム）のうち一部（１０％分）とを葉面散布し、９０％分の肥料成分は培土中に施用した試験区である。肥料成分の総量は他の試験区と同じになるようにした。【０１１３】
本発明試験区での肥料成分の培土への施用は窒素、リン、カリウムがそれぞれＮ、Ｐ２Ｏ５、Ｋ２Ｏとしての換算量で３６ｍｇ、合計１０８ｍｇ／ポットとなるように播種時に培土を調製した。具体的には、培土を４０ｍＬ、肥料成分として硫酸アンモニウム１４０．４ｍｇ、リン酸アンモニウム５９．４ｍｇ、硫酸カリウム７２ｍｇを容器に量りとり、均一になるように混合し、ポットに入れた。【０１１４】
一方、ＧＳＳＧの葉面散布は、実施例１に示す配合Ａに従い調製された微粉状水溶性製剤（１）３３．８ｍｇを水１２ｍＬに溶解させ、ＧＳＳＧ肥料成分含有水溶液を調製し、次いで、前記ＧＳＳＧ肥料成分含有水溶液を育苗開始６日目から３日おきに３回に分け、各回４ｍＬ合計１２ｍＬを各ポットの苗の葉面に霧吹きを用い噴霧することにより実施した。１ポットに噴霧される１２ｍＬの前記ＧＳＳＧ肥料成分含有水溶液には、微粉状水溶性製剤（１）が３３．８ｍｇ含まれ、ＧＳＳＧ（フリー体換算）が３．５ｍｇ、硫酸アンモニウムが１５．６ｍｇ、リン酸アンモニウムが６．６ｍｇ、硫酸カリウムが８ｍｇ含まれる。【０１１５】
【表６】
2017006869.tif 000008
【０１１６】
表中の各数字は、葉面散布又は培土施用により試験期間中に施用された１ポットあたりの各成分の通算施用量（単位mg）を示す。表中「−」は葉面又は培土への施用を行っていないことを指す。【０１１７】
２．結果
試験期間２週間終了後に各試験区について地上部の新鮮重（平均値）を測定し、生長率を算出した。【０１１８】
生長率は無処理区（肥料成分のみを培土施用）での地上部新鮮重に対する、各試験区での地上部新鮮重の百分率を示す。【０１１９】
【表７】
2017006869.tif 000009
【０１２０】
実施例５：葉面散布効果（ジャガイモへの葉面散布）
本発明のＧＳＳＧ含有肥料組成物を葉面散布し効果を確認した。
１．試験方法
以下の条件でジャガイモ（メークイン）の栽培を行った。
期間：約３ヶ月間（３月〜６月）
場所：兵庫県佐用町  一般農家ほ場
元肥：牛糞堆肥１ｔ／１０ａ、燐硝安加里Ｓ−６０４（１６−１０−１４）１００ｋｇ／１０ａ、消石灰１００ｋｇ／１０ａ
栽植距離：条間８０ｃｍ×株間３０ｃｍ  １条植【０１２１】
試験区：下記表９示すように無処理試験区、比較例５試験区、比較例６試験区、本発明試験区の４つの試験区を設定した。【０１２２】
（無処理試験区）
無処理試験区は肥料成分（窒素、リン、カリウム）を培土のみに施用し、ＧＳＳＧを施用しない試験区である。【０１２３】
（比較例５試験区）
比較例５試験区は、肥料成分（窒素、リン、カリウム）を本発明試験区と同等量を葉面散布し、培土は無処理試験区と同様に栽培した試験区である。肥料成分の総量は本発明試験区と同じになるようにした。【０１２４】
肥料成分の葉面への施用は窒素、リン、カリウムがそれぞれＮ、Ｐ２Ｏ５、Ｋ２Ｏとしての換算量で０．２２ｍｇ、合計０．６６ｍｇ／株となるように散布した。具体的には、水を２４ｍＬに肥料成分として硫酸アンモニウム０．８６ｍｇ、リン酸アンモニウム０．３６ｍｇ、硫酸カリウム０．４４ｍｇを溶解させた。次いで、前記肥料水溶液を植え付けから４週目に霧吹きを用い葉面に噴霧することにより実施した。【０１２５】
（比較例６試験区）
比較例６試験区は、ＧＳＳＧを本発明試験区と同等量を葉面散布し、培土は無処理試験区と同様に栽培した試験区である。肥料成分の総量は無処理試験区と同じになるようにした。【０１２６】
ＧＳＳＧの葉面散布は、ＧＳＳＧ・ＮＨ３塩を０．７４ｍｇ／株なるように散布した。具体的には水を２４ｍＬにＧＳＳＧ・ＮＨ３塩を０．７４ｍｇ溶解させ、ＧＳＳＧ含有水溶液を調製し、次いで、前記ＧＳＳＧ含有水溶液を植え付けから４週目に霧吹きを用い葉面に噴霧することにより実施した。【０１２７】
（本発明試験区）
本発明試験区は、ＧＳＳＧと肥料成分（窒素、リン、カリウム）とを葉面散布し、培土は無処理試験区と同様に栽培した試験区である。肥料成分の総量は比較例５試験区と同じになるようにした。【０１２８】
ＧＳＳＧおよび肥料成分の葉面散布は、下記表８に示す配合Ｆに従い、実施例１の「２．微粉状水溶性製剤の製造」に記載の手順と同様の手順で調製された微粉状水溶性製剤（３）２．４ｍｇを水２４ｍＬに溶解させ、ＧＳＳＧ肥料成分含有水溶液を調製し、次いで、前記ＧＳＳＧ肥料成分含有水溶液を植え付けから４週目に霧吹きを用い葉面に噴霧することにより実施した。１株に噴霧される２４ｍＬの前記ＧＳＳＧ肥料成分含有水溶液には、微粉状水溶性製剤（３）が２．４ｍｇ含まれ、ＧＳＳＧ（フリー体換算）が０．７２ｍｇ、硫酸アンモニウム０．８６ｍｇ、リン酸アンモニウム０．３６ｍｇ、硫酸カリウム０．４４ｍｇ含まれる。【０１２９】
【表８】
2017006869.tif 000010
【０１３０】
【表９】
2017006869.tif 000011
【０１３１】
表中の各数字は、葉面散布により試験期間中に施用された１株あたりの各成分の通算施用量（単mg）を示す。表中「−」は葉面への施用を行っていないことを指す。【０１３２】
２．結果
塊茎が成熟後に各試験区について塊茎重（株毎の平均値）を測定し、増収率を算出した。【０１３３】
増収率は無処理区（肥料成分のみを培土施用）での塊茎重に対する、各試験区での塊茎重の百分率を示す。【０１３４】
【表１０】
2017006869.tif 000012
【０１３５】
本明細書で引用した全ての刊行物、特許及び特許出願はそのまま引用により本明細書に組み入れられるものとする。
【図１】
2017006869.tif 000013
【図２】
2017006869.tif 000014
【図３】
2017006869.tif 000015
【国際調査報告】
2017006869.tif 000016
2017006869.tif 000017
2017006869.tif 000018
2017006869.tif 000019